(57)【要約】  本開示の実施例は、通信技術分野に係り、ＰＢＣＨ  ＤＭＲＳの衝突を減少するための信号処理方法、装置、機器およびコンピュータ読み取り可能な記憶媒体を提供する。本開示の実施例で提供される信号処理方法において、ＰＢＣＨ  ＤＭＲＳシーケンス候補を生成することと、ＰＢＣＨ  ＤＭＲＳシーケンスとＲＥ群とのマッピング関係を取得することと、前記マッピング関係に基づいて、前記ＰＢＣＨ  ＤＭＲＳシーケンス候補に対応するＲＥ群によって前記ＰＢＣＨ  ＤＭＲＳシーケンス候補を伝送することとを含む。本開示の実施例によれば、ＰＢＣＨ  ＤＭＲＳの衝突を減少することができる。【選択図】  図１
2020528244.tif 000002
【特許請求の範囲】
【請求項１】
ネットワーク側機器に応用される信号処理方法において、
ＰＢＣＨ（Ｐｈｙｓｉｃａｌ  Ｂｒｏａｄｃａｓｔ  Ｃｈａｎｎｅｌ）  ＤＭＲＳ（ＤｅＭｏｄｕｌａｔｉｏｎ  Ｒｅｆｅｒｅｎｃｅ  Ｓｉｇｎａｌ）シーケンス候補を生成することと、
ＰＢＣＨ  ＤＭＲＳシーケンスとＲＥ（Ｒｅｓｏｕｒｃｅ  Ｅｌｅｍｅｎｔ）群とのマッピング関係を取得することと、
前記マッピング関係に基づいて、前記ＰＢＣＨ  ＤＭＲＳシーケンス候補に対応するＲＥ群によって前記ＰＢＣＨ  ＤＭＲＳシーケンス候補を伝送することとを含む、信号処理方法。
【請求項２】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項１に記載の方法。
【請求項３】
前記マッピング関係に基づいて、前記ＰＢＣＨ  ＤＭＲＳシーケンス候補に対応するＲＥ群によって前記ＰＢＣＨ  ＤＭＲＳシーケンス候補を伝送することは、
前記ＰＢＣＨ  ＤＭＲＳシーケンス候補を変調することと、
前記マッピング関係に基づいて、変調後のＰＢＣＨ  ＤＭＲＳシーケンス候補をＲＥ群にマッピングすることと、
前記変調後のＰＢＣＨ  ＤＭＲＳシーケンス候補を前記ＲＥ群によって伝送することとを含む、請求項１に記載の方法。
【請求項４】
同一の同期信号ブロックの２つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルでは、同じＰＢＣＨ  ＤＭＲＳシーケンス候補が搬送され、または、
同一の同期信号ブロックの２つのＯＦＤＭシンボルでは、異なるＰＢＣＨ  ＤＭＲＳシーケンス候補が搬送され、または、
同一の同期信号ブロックの２つのＯＦＤＭシンボルの両方によって同一のＰＢＣＨ  ＤＭＲＳシーケンス候補が搬送される、請求項３に記載の方法。
【請求項５】
前記ＰＢＣＨ  ＤＭＲＳシーケンス候補の生成多項式の初期値は、
セルＩＤおよび／または同期信号ブロックのインデックスによって決められる、請求項１〜４のいずれか一項に記載の方法。
【請求項６】
端末に応用される信号処理方法において、
ＰＢＣＨ  ＤＭＲＳシーケンス候補を受信することと、
ＰＢＣＨ  ＤＭＲＳシーケンスとＲＥ群とのマッピング関係に基づいて、前記ＰＢＣＨ  ＤＭＲＳシーケンス候補に対応するＲＥ群を特定することと、
前記ＲＥ群内で、前記ＲＥ群に対応するＰＢＣＨ  ＤＭＲＳシーケンス候補を検出することと、
検出したＰＢＣＨ  ＤＭＲＳシーケンス候補に基づいて、同期信号ブロックのインデックスを特定することとを含む、信号処理方法。
【請求項７】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項６に記載の方法。
【請求項８】
前記ＲＥ群内で、前記ＲＥ群に対応するＰＢＣＨ  ＤＭＲＳシーケンス候補を検出することは、
前記ＰＢＣＨ  ＤＭＲＳシーケンス候補のグループ分けを行って、前記ＲＥ群と同数のＰＢＣＨ  ＤＭＲＳシーケンス候補群を取得することと、
ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得することと、
すべてのＲＥ群の複数の相関値から最大相関値を取得することと、
前記最大相関値に対応するＰＢＣＨ  ＤＭＲＳシーケンス候補を、検出したＰＢＣＨ  ＤＭＲＳシーケンス候補とすることとを含む、請求項６に記載の方法。
【請求項９】
ＰＢＣＨ  ＤＭＲＳシーケンス候補を生成するための生成モジュールと、
ＰＢＣＨ  ＤＭＲＳシーケンスとＲＥ群とのマッピング関係を取得するための取得モジュールと、
前記マッピング関係に基づいて、前記ＰＢＣＨ  ＤＭＲＳシーケンス候補に対応するＲＥ群によって前記ＰＢＣＨ  ＤＭＲＳシーケンス候補を伝送するための伝送モジュールとを含む、信号処理装置。
【請求項１０】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項９に記載の装置。
【請求項１１】
前記伝送モジュールは、
前記ＰＢＣＨ  ＤＭＲＳシーケンス候補を変調するための変調サブモジュールと、
前記マッピング関係に基づいて、変調後のＰＢＣＨ  ＤＭＲＳシーケンス候補をＲＥ群にマッピングするためのマッピングサブモジュールと、
前記変調後のＰＢＣＨ  ＤＭＲＳシーケンス候補を前記ＲＥ群によって伝送するための伝送サブモジュールとを含む、請求項９に記載の装置。
【請求項１２】
同一の同期信号ブロックの２つのＯＦＤＭシンボルでは、同じＰＢＣＨ  ＤＭＲＳシーケンス候補が搬送され、または、
同一の同期信号ブロックの２つのＯＦＤＭシンボルでは、異なるＰＢＣＨ  ＤＭＲＳシーケンス候補が搬送され、または、
同一の同期信号ブロックの２つのＯＦＤＭシンボルの両方によって同一のＰＢＣＨ  ＤＭＲＳシーケンス候補が搬送される、請求項１１に記載の装置。
【請求項１３】
前記ＰＢＣＨ  ＤＭＲＳシーケンス候補の生成多項式の初期値は、
セルＩＤおよび／または同期信号ブロックのインデックスによって決められる、請求項９〜１２のいずれか一項に記載の装置。
【請求項１４】
ＰＢＣＨ  ＤＭＲＳシーケンス候補を受信するための受信モジュールと、
ＰＢＣＨ  ＤＭＲＳシーケンスとＲＥ群とのマッピング関係に基づいて、前記ＰＢＣＨ  ＤＭＲＳシーケンス候補に対応するＲＥ群を特定するための第１特定モジュールと、
前記ＲＥ群内で、前記ＲＥ群に対応するＰＢＣＨ  ＤＭＲＳシーケンス候補を検出するための検出モジュールと、
検出したＰＢＣＨ  ＤＭＲＳシーケンス候補に基づいて、同期信号ブロックのインデックスを特定するための第２特定モジュールとを含む、信号処理装置。
【請求項１５】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項１４に記載の装置。
【請求項１６】
前記検出モジュールは、
前記ＰＢＣＨ  ＤＭＲＳシーケンス候補のグループ分けを行って、前記ＲＥ群と同数のＰＢＣＨ  ＤＭＲＳシーケンス候補群を取得するためのグループ分けサブモジュールと、
ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得するための検出サブモジュールと、
すべてのＲＥ群の複数の相関値から最大相関値を取得するための取得サブモジュールと、
前記最大相関値に対応するＰＢＣＨ  ＤＭＲＳシーケンス候補を、検出したＰＢＣＨ  ＤＭＲＳシーケンス候補とするための特定サブモジュールとを含む、請求項１４に記載の装置。
【請求項１７】
メモリと、プロセッサと、トランシーバと、前記メモリに記憶されて前記プロセッサで実行可能なコンピュータプログラムを含むネットワーク側機器において、
前記プロセッサが前記コンピュータプログラムを実行すると、
ＰＢＣＨ  ＤＭＲＳシーケンス候補を生成することと、
ＰＢＣＨ  ＤＭＲＳシーケンスとＲＥ群とのマッピング関係を取得することと、
前記マッピング関係に基づいて、前記ＰＢＣＨ  ＤＭＲＳシーケンス候補に対応するＲＥ群によって前記ＰＢＣＨ  ＤＭＲＳシーケンス候補を伝送することとを含む信号処理方法が実現される、ネットワーク側機器。
【請求項１８】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項１７に記載のネットワーク側機器。
【請求項１９】
前記プロセッサが前記コンピュータプログラムを実行すると、さらに、
前記ＰＢＣＨ  ＤＭＲＳシーケンス候補を変調することと、
前記マッピング関係に基づいて、変調後のＰＢＣＨ  ＤＭＲＳシーケンス候補をＲＥ群にマッピングすることと、
前記変調後のＰＢＣＨ  ＤＭＲＳシーケンス候補を前記ＲＥ群によって伝送することが実現される、請求項１７に記載のネットワーク側機器。
【請求項２０】
同一の同期信号ブロックの２つのＯＦＤＭシンボルでは、同じＰＢＣＨ  ＤＭＲＳシーケンス候補が搬送され、または、
同一の同期信号ブロックの２つのＯＦＤＭシンボルでは、異なるＰＢＣＨ  ＤＭＲＳシーケンス候補が搬送され、または、
同一の同期信号ブロックの２つのＯＦＤＭシンボルの両方によって同一のＰＢＣＨ  ＤＭＲＳシーケンス候補が搬送される、請求項１９に記載のネットワーク側機器。
【請求項２１】
前記ＰＢＣＨ  ＤＭＲＳシーケンス候補の生成多項式の初期値は、
セルＩＤおよび／または同期信号ブロックのインデックスによって決められる、請求項１７〜２０のいずれか一項に記載のネットワーク側機器。
【請求項２２】
メモリと、プロセッサと、トランシーバと、前記メモリに記憶されて前記プロセッサで実行可能なコンピュータプログラムを含む端末側機器において、
前記プロセッサが前記コンピュータプログラムを実行すると、
ＰＢＣＨ  ＤＭＲＳシーケンス候補を受信することと、
ＰＢＣＨ  ＤＭＲＳシーケンスとＲＥ群とのマッピング関係に基づいて、前記ＰＢＣＨ  ＤＭＲＳシーケンス候補に対応するＲＥ群を特定することと、
前記ＲＥ群内で、前記ＲＥ群に対応するＰＢＣＨ  ＤＭＲＳシーケンス候補を検出することと、
検出したＰＢＣＨ  ＤＭＲＳシーケンス候補に基づいて、同期信号ブロックのインデックスを特定することとを含む信号処理方法が実現される、端末側機器。
【請求項２３】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項２２に記載の端末側機器。
【請求項２４】
前記プロセッサが前記コンピュータプログラムを実行すると、さらに、
前記ＰＢＣＨ  ＤＭＲＳシーケンス候補のグループ分けを行って、前記ＲＥ群と同数のＰＢＣＨ  ＤＭＲＳシーケンス候補群を取得することと、
ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得することと、
すべてのＲＥ群の複数の相関値から最大相関値を取得することと、
前記最大相関値に対応するＰＢＣＨ  ＤＭＲＳシーケンス候補を、検出したＰＢＣＨ  ＤＭＲＳシーケンス候補とすることが実現される、請求項２２に記載の端末側機器。
【請求項２５】
コンピュータプログラムを記憶するためのコンピュータ読み取り可能な記憶媒体であって、
前記コンピュータプログラムがプロセッサによって実行されると、請求項１〜５のいずれか一項に記載の方法のステップが実現される、コンピュータ読み取り可能な記憶媒体。
【請求項２６】
コンピュータプログラムを記憶するためのコンピュータ読み取り可能な記憶媒体であって、
前記コンピュータプログラムがプロセッサによって実行されると、請求項６〜８のいずれか一項に記載の方法のステップが実現される、コンピュータ読み取り可能な記憶媒体。
【発明の詳細な説明】
【技術分野】
【０００１】
本願は、２０１７年７月２８日に中国特許庁に提出された中国特許出願２０１７１０６３２１１２．２の優先権を主張し、その全ての内容が援用によりここに取り込まれる。
本開示の実施例は、通信技術分野に係り、特に信号処理方法、装置、機器およびコンピュータ読み取り可能な記憶媒体に係る。
【背景技術】
【０００２】
５Ｇ移動通信システムにおいて、カバレッジ向上のために、ビーム走査方式で同期信号ブロックを送信し、すなわち、異なる時間に異なるビームを生成して同じまたは異なる指向性で同期信号ブロックを伝送する。１つの同期信号ブロックは、同期信号と物理ブロードキャストチャネル部分から構成される。物理ブロードキャストチャネル部分は、ＰＢＣＨ（Ｐｈｙｓｉｃａｌ  Ｂｒｏａｄｃａｓｔ  Ｃｈａｎｎｅｌ）とＰＢＣＨのＤＭＲＳ（ＤｅＭｏｄｕｌａｔｉｏｎ  Ｒｅｆｅｒｅｎｃｅ  Ｓｉｇｎａｌ）を含む。
【０００３】
物理ブロードキャストチャネルのＤＭＲＳは、チャネル推定および同期信号ブロックの（時間）インデックス（ＳＳ（Ｓｙｎｃｈｒｏｎｉｚａｔｉｏｎ  Ｓｉｇｎａｌ）  ｂｌｏｃｋ  （ｔｉｍｅ）  ｉｎｄｅｘ）の指示に用いられる。各セルのＤＭＲＳは、複数（たとえば８）の利用可能なシーケンスを有し、異なるシーケンスは、異なる同期信号ブロックのインデックスにそれぞれ対応する。ユーザが信号を受信すると、すべてのありうるシーケンスを利用し、受信した信号またはチャネル等化後の信号に対して相関を行い、最大相関値のありうるシーケンスを、検出したシーケンスとし、対応する同期信号ブロックのインデックスを、検出した同期信号ブロックのインデックスとする。当該同期信号ブロックのインデックスは、ビーム情報を反映可能である。
【０００４】
５Ｇ移動通信システムにおいて、物理層のセルＩＤは、１００８個ある。ＰＢＣＨ  ＤＭＲＳの設計において、同期ブロックおよびチャネル推定検出精度の向上のために、異なるセルのシーケンスおよび自セルのシーケンスがなるべく直交になるようにする。
【０００５】
従来の通信システムにおいて、ＣＲＳ（Ｃｅｌｌ−ｓｐｅｃｉｆｉｃ  Ｒｅｆｅｒｅｎｃｅ  Ｓｉｇｎａｌ）のリソースマッピングにおいて、マッピングリソースの位置は、セルＩＤに相関する。端末は、セルＩＤを受信すると、当該セルＩＤに基づいて、マッピング先のすべてのリソースでＣＲＳ検出を行う。しかし、上記のリソースマッピングおよび伝送プロセスにおいて、ビーム走査メカニズムがないため、ビーム指示情報をＣＲＳに付帯する必要もない。よって、ビーム走査メカニズムを追加した場合、ＰＢＣＨ  ＤＭＲＳ衝突減少のためにどのようにＤＭＲＳを伝送するかは、関係者が検討する主な問題の１つである。
【発明の概要】
【発明が解決しようとする課題】
【０００６】
これに鑑みて、本開示の実施例は、信号処理方法、装置、機器およびコンピュータ読み取り可能な記憶媒体を提供してＰＢＣＨ  ＤＭＲＳの衝突を減少する。
【課題を解決するための手段】
【０００７】
上記の技術課題を解決するために、第１態様において、本開示の実施例は、ネットワーク側機器に応用される信号処理方法を提供する。当該方法において、ＰＢＣＨ  ＤＭＲＳシーケンス候補を生成することと、ＰＢＣＨ  ＤＭＲＳシーケンスとＲＥ群とのマッピング関係を取得することと、前記マッピング関係に基づいて、前記ＰＢＣＨ  ＤＭＲＳシーケンス候補に対応するＲＥ群によって前記ＰＢＣＨ  ＤＭＲＳシーケンス候補を伝送することとを含む。
【０００８】
本開示の１つの実行可能な実施例において、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【０００９】
本開示の１つの実行可能な実施例において、前記マッピング関係に基づいて、前記ＰＢＣＨ  ＤＭＲＳシーケンス候補に対応するＲＥ群によって前記ＰＢＣＨ  ＤＭＲＳシーケンス候補を伝送することは、前記ＰＢＣＨ  ＤＭＲＳシーケンス候補を変調することと、前記マッピング関係に基づいて、変調後のＰＢＣＨ  ＤＭＲＳシーケンス候補をＲＥ群にマッピングすることと、前記変調後のＰＢＣＨ  ＤＭＲＳシーケンス候補を前記ＲＥ群によって伝送することとを含む。
【００１０】
本開示の１つの実行可能な実施例において、同一の同期信号ブロックの２つのＯＦＤＭシンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【００１１】
本開示の１つの実行可能な実施例において、前記ＰＢＣＨ  ＤＭＲＳシーケンス候補の生成多項式の初期値は、セルＩＤおよび／または同期信号ブロックのインデックスによって決められる。
【００１２】
第２態様において、本開示の実施例は、端末に応用される信号処理方法をさらに提供する。当該方法において、ＰＢＣＨ  ＤＭＲＳシーケンス候補を受信することと、ＰＢＣＨ  ＤＭＲＳシーケンスとＲＥ群とのマッピング関係に基づいて、前記ＰＢＣＨ  ＤＭＲＳシーケンス候補に対応するＲＥ群を特定することと、前記ＲＥ群内で、前記ＲＥ群に対応するＰＢＣＨ  ＤＭＲＳシーケンス候補を検出することと、検出したＰＢＣＨ  ＤＭＲＳシーケンス候補に基づいて、同期信号ブロックのインデックスを特定することとを含む。
【００１３】
本開示の１つの実行可能な実施例において、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００１４】
本開示の１つの実行可能な実施例において、前記ＲＥ群内で、前記ＲＥ群に対応するＰＢＣＨ  ＤＭＲＳシーケンス候補を検出することは、前記ＰＢＣＨ  ＤＭＲＳシーケンス候補のグループ分けを行って、前記ＲＥ群と同数のＰＢＣＨ  ＤＭＲＳシーケンス候補群を取得することと、ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得することと、すべてのＲＥ群の複数の相関値から最大相関値を取得することと、前記最大相関値に対応するＰＢＣＨ  ＤＭＲＳシーケンス候補を、検出したＰＢＣＨ  ＤＭＲＳシーケンス候補とすることとを含む。
【００１５】
第３態様において、本開示の実施例は、ＰＢＣＨ  ＤＭＲＳシーケンス候補を生成するための生成モジュールと、ＰＢＣＨ  ＤＭＲＳシーケンスとＲＥ群とのマッピング関係を取得するための取得モジュールと、前記マッピング関係に基づいて、前記ＰＢＣＨ  ＤＭＲＳシーケンス候補に対応するＲＥ群によって前記ＰＢＣＨ  ＤＭＲＳシーケンス候補を伝送するための伝送モジュールとを含む、信号処理装置をさらに提供する。
【００１６】
本開示の１つの実行可能な実施例において、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００１７】
本開示の１つの実行可能な実施例において、前記伝送モジュールは、前記ＰＢＣＨ  ＤＭＲＳシーケンス候補を変調するための変調サブモジュールと、前記マッピング関係に基づいて、変調後のＰＢＣＨ  ＤＭＲＳシーケンス候補をＲＥ群にマッピングするためのマッピングサブモジュールと、前記変調後のＰＢＣＨ  ＤＭＲＳシーケンス候補を前記ＲＥ群によって伝送するための伝送サブモジュールとを含む。
【００１８】
本開示の１つの実行可能な実施例において、同一の同期信号ブロックの２つのＯＦＤＭシンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【００１９】
本開示の１つの実行可能な実施例において、前記ＰＢＣＨ  ＤＭＲＳシーケンス候補の生成多項式の初期値は、セルＩＤおよび／または同期信号ブロックのインデックスによって決められる。
【００２０】
第４態様において、本開示の実施例は、ＰＢＣＨ  ＤＭＲＳシーケンス候補を受信するための受信モジュールと、ＰＢＣＨ  ＤＭＲＳシーケンスとＲＥ群とのマッピング関係に基づいて、前記ＰＢＣＨ  ＤＭＲＳシーケンス候補に対応するＲＥ群を特定するための第１特定モジュールと、前記ＲＥ群内で、前記ＲＥ群に対応するＰＢＣＨ  ＤＭＲＳシーケンス候補を検出するための検出モジュールと、検出したＰＢＣＨ  ＤＭＲＳシーケンス候補に基づいて、同期信号ブロックのインデックスを特定するための第２特定モジュールとを含む、信号処理装置をさらに提供する。
【００２１】
本開示の１つの実行可能な実施例において、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００２２】
本開示の１つの実行可能な実施例において、前記検出モジュールは、前記ＰＢＣＨ  ＤＭＲＳシーケンス候補のグループ分けを行って、前記ＲＥ群と同数のＰＢＣＨ  ＤＭＲＳシーケンス候補群を取得するためのグループ分けサブモジュールと、ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得するための検出サブモジュールと、すべてのＲＥ群の複数の相関値から最大相関値を取得するための取得サブモジュールと、前記最大相関値に対応するＰＢＣＨ  ＤＭＲＳシーケンス候補を、検出したＰＢＣＨ  ＤＭＲＳシーケンス候補とするための特定サブモジュールとを含む。
【００２３】
第５態様において、本開示の実施例は、さらに、メモリと、プロセッサと、トランシーバと、前記メモリに記憶されて前記プロセッサで実行可能なコンピュータプログラムを含む電子機器を提供し、前記プロセッサが前記コンピュータプログラムを実行すると、前記第１態様に記載の方法のステップが実現される。
【００２４】
第６態様において、本開示の実施例は、さらに、メモリと、プロセッサと、トランシーバと、前記メモリに記憶されて前記プロセッサで実行可能なコンピュータプログラムを含む電子機器を提供し、前記プロセッサが前記コンピュータプログラムを実行すると、前記第２態様に記載の方法のステップが実現される。
【００２５】
第７態様において、本開示のコンピュータプログラムを記憶するためのコンピュータ読み取り可能な記憶媒体を提供し、前記コンピュータプログラムがプロセッサによって実行されると、前記第１態様に記載の方法のステップが実現される。
【００２６】
第８態様において、本開示のコンピュータプログラムを記憶するためのコンピュータ読み取り可能な記憶媒体を提供し、前記コンピュータプログラムがプロセッサによって実行されると、前記第２態様に記載の方法のステップが実現される。
【発明の効果】
【００２７】
本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００２８】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提に、これらの図面から他の図面を得ることもできる。
【図面の簡単な説明】
【００２９】
【図１】図１は、本開示の実施例における信号処理方法のフローチャートである。
【図２】図２は、本開示の実施例における信号処理方法のフローチャートである。
【図３】図３は、本開示の実施例における信号処理方法のフローチャートである。
【図４】図４は、本開示の実施例における信号処理方法のフローチャートである。
【図５】図５は、本開示の実施例における信号処理装置の概略図である。
【図６】図６は、本開示の実施例における伝送モジュールの概略図である。
【図７】図７は、本開示の実施例における信号処理装置の概略図である。
【図８】図８は、本開示の実施例における検出モジュールの概略図である。
【図９】図９は、本開示の実施例におけるネットワーク側機器の概略図である。
【図１０】図１０は、本開示の実施例における端末の概略図である。
【発明を実施するための形態】
【００３０】
以下、図面と実施例を通じて、本開示の具体的な実施形態をさらに詳細に記載する。以下の実施例は、本開示を説明するためのものであり、本開示の範囲を制限するために用いられるものではない。
【００３１】
図１に示すように、本開示の実施例の信号処理方法は、ネットワーク側機器に応用され、以下のステップを含む。
【００３２】
ステップ１０１において、ＰＢＣＨ  ＤＭＲＳシーケンス候補を生成する。
【００３３】
本開示の実施例において、前記ネットワーク側機器は、たとえば基地局などである。基地局側において、通常の場合、生成される利用可能なＰＢＣＨ  ＤＭＲＳシーケンスは、８個ある。ここで、当該８個のシーケンスのうちのいずれのシーケンスでも、ＰＢＣＨ  ＤＭＲＳシーケンス候補（Ｃａｎｄｉｄａｔｅ）と称されてもよい。
【００３４】
ＰＢＣＨ  ＤＭＲＳシーケンス候補の生成方式は、多種類あり、たとえば関連技術の方式でＧｏｌｄシーケンスを生成するなどが挙げられる。
【００３５】
ステップ１０２において、ＰＢＣＨ  ＤＭＲＳシーケンスとＲＥ（Ｒｅｓｏｕｒｃｅ  Ｅｌｅｍｅｎｔ）群とのマッピング関係を取得する。
【００３６】
本開示の実施例において、前記マッピング関係は、事前に取り決められる。たとえば、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００３７】
ステップ１０３において、前記マッピング関係に基づいて、前記ＰＢＣＨ  ＤＭＲＳシーケンス候補に対応するＲＥ群によって前記ＰＢＣＨ  ＤＭＲＳシーケンス候補を伝送する。
【００３８】
このステップにおいて、前記ＰＢＣＨ  ＤＭＲＳシーケンス候補を変調し、前記マッピング関係に基づいて、変調後のＰＢＣＨ  ＤＭＲＳシーケンス候補をＲＥ群にマッピングし、前記変調後のＰＢＣＨ  ＤＭＲＳシーケンス候補を前記ＲＥ群によって伝送する。
【００３９】
本開示の実施例において、変調方式は、たとえば、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）、２5６ＱＡＭ（２５６  Ｑｕａｄｒａｔｕｒｅ  Ａｍｐｌｉｔｕｄｅ  Ｍｏｄｕｌａｔｉｏｎ）などである。
【００４０】
実際の応用において、同一の同期信号ブロックの２つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【００４１】
実際の応用において、８０００余りのＰＢＣＨ  ＤＭＲＳシーケンスが存在する可能性があり、どのシーケンスを選択するかは、ＰＢＣＨ  ＤＭＲＳシーケンスの生成多項式の初期値によって決められ、用いられるシーケンスのいずれは、対応するセルＩＤおよび／または同期信号ブロックのインデックスを有する。ここで、生成多項式とは、ＰＢＣＨ  ＤＭＲＳシーケンスを生成する際に用いられる多項式である。たとえば、Ｍシーケンスを生成するには用いられる生成多項式や、Ｇｏｌｄシーケンスを生成する際に用いられる生成多項式などである。よって、本開示の実施例において、前記ＰＢＣＨ  ＤＭＲＳシーケンス候補の生成多項式の初期値は、セルＩＤおよび／または同期信号ブロックのインデックスによって決められる。
【００４２】
以上の記載によると、本開示の実施例を手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００４３】
図２に示すように、本開示の実施例の信号処理方法は、端末に応用され、以下のステップを含む。
【００４４】
ステップ２０１において、ＰＢＣＨ  ＤＭＲＳシーケンス候補を受信する。
【００４５】
ステップ２０２において、ＰＢＣＨ  ＤＭＲＳシーケンスとＲＥ群とのマッピング関係に基づいて、前記ＰＢＣＨ  ＤＭＲＳシーケンス候補に対応するＲＥ群を特定する。
【００４６】
上述したように、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００４７】
ここで、端末は、ネットワーク側との事前の取り決めやネットワーク側からの通知に基づいて、当該マッピング関係を取得する。
【００４８】
ステップ２０３において、前記ＲＥ群内で、前記ＲＥ群に対応するＰＢＣＨ  ＤＭＲＳシーケンス候補を検出する。
【００４９】
ここで、前記ＰＢＣＨ  ＤＭＲＳシーケンス候補のグループ分けを行って、前記ＲＥ群と同数のＰＢＣＨ  ＤＭＲＳシーケンス候補群を取得する。ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得する。その後、すべてのＲＥ群の複数の相関値から最大相関値を取得し、前記最大相関値に対応するＰＢＣＨ  ＤＭＲＳシーケンス候補を、検出したＰＢＣＨ  ＤＭＲＳシーケンス候補とする。
【００５０】
たとえば、仮に４つのＲＥ群を有し、各セルには８個のＰＢＣＨ  ＤＭＲＳシーケンス候補を有する。ここで、当該８個のＰＢＣＨ  ＤＭＲＳシーケンス候補のグループ分けを行い、４グループに分け、各グループに２つのＰＢＣＨ  ＤＭＲＳシーケンスを有する。端末は、検出の際に、ＲＥ群毎に、２つの所定のＰＢＣＨ  ＤＭＲＳシーケンスを利用し、各ＲＥ群のＰＢＣＨ  ＤＭＲＳシーケンス候補に対して相関検出を行い、２つの相関値を得る。４グループのＲＥ群に対しそれぞれ相関検出を行って８つの相関値を得る。８つの相関値のうちの最大相関値に対応するＰＢＣＨ  ＤＭＲＳシーケンス候補は、検出したＤＭＲＳシーケンスになる。
【００５１】
ステップ２０４において、検出したＰＢＣＨ  ＤＭＲＳシーケンス候補に基づいて、同期信号ブロックのインデックスを特定する。
【００５２】
以上の記載によると、本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００５３】
以下の実施例を通じて、本開示の実施例の信号処理方法の実現プロセスを詳細に記載する。
【００５４】
図３に示すように、基地局側を例とし、本開示の実施例の信号処理方法は、以下のステップを含む。
【００５５】
ステップ３０１において、すべてのＰＢＣＨ  ＤＭＲＳシーケンス候補を生成し、生成されたＰＢＣＨ  ＤＭＲＳシーケンス候補がＧｏｌｄシーケンスである。
【００５６】
本開示の実施例において、生成されたＰＢＣＨ  ＤＭＲＳシーケンス候補は、Ｇｏｌｄシーケンスである。当該Ｇｏｌｄシーケンスは、１つの周期内の完全なＧｏｌｄシーケンスであり、または、１つの周期のＧｏｌｄシーケンスから抽出した一部のシーケンスである。ここで、Ｇｏｌｄシーケンスの生成多項式の初期値は、セルＩＤおよび／または同期ブロック（時間）インデックスに相関する。
【００５７】
ステップ３０２において、生成されたＧｏｌｄシーケンスの変調を行う。本開示の実施例において、変調方式は、ＢＰＳＫ、ＱＰＳＫ、１６ＱＡＭ、６４ＱＡＭ、２５６ＱＡＭなどである。
【００５８】
ステップ３０３において、ＰＢＣＨ  ＤＭＲＳシーケンスとＲＥ群とのマッピング関係を取得する。
【００５９】
本開示の実施例において、ＰＢＣＨ  ＤＭＲＳシーケンスとＲＥ群とのマッピング関係は、変調後のＧｏｌｄシーケンスとＲＥ群との対応関係である。
【００６０】
ステップ３０４において、変調後のＧｏｌｄシーケンスを、対応するＲＥ群にマッピングし、対応するＧｏｌｄシーケンスをＲＥ群によって伝送する。
【００６１】
実際の応用において、たとえば、１つの同期信号ブロックで２つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルによってＰＢＣＨ部分を伝送し、２つのシンボルでのＰＢＣＨ  ＤＭＲＳは、２つの同じＧｏｌｄシーケンスを搬送し、または、２つの異なるＧｏｌｄシーケンスを搬送し、または、２つのシンボルの両方で同一のＧｏｌｄシーケンスを搬送する。
【００６２】
以上の記載によると、本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００６３】
また、本開示の実施例において、各セルのＰＢＣＨ  ＤＭＲＳシーケンス候補を複数のグループに分け、各グループのＰＢＣＨ  ＤＭＲＳシーケンス候補を異なるＲＥ群でそれぞれ伝送することによって、異なる同期信号ブロックのインデックスまたは異なるセルに対応するＰＢＣＨ  ＤＭＲＳシーケンスを異なるＲＥ群にマッピングして伝送する。このように、各ＲＥでは、検出対象のシーケンス候補の数を減少し、検出精度を高め、検出の複雑度を軽減する。
【００６４】
図４に示すように、基地局側を例とし、本開示の実施例の信号処理方法は、以下のステップを含む。
【００６５】
ステップ４０１において、Ｇｏｌｄシーケンスを生成する。
【００６６】
たとえば、基地局は、以下の方式でＧｏｌｄシーケンスｃ（ｎ）を生成する。ここで、ｃ（ｎ）の長さは、Ｎｐである。Ｎｐの値は、たとえば２８８である。
【数１】
2020528244.tif 000003
ここで、ｘ１（ｎ）の初期値として、ｘ１（０）＝１、ｘ１（ｎ）＝０（ｎ＝１，…，３０）。
【００６７】
ｘ２（ｎ）の初期値は、
【数２】
2020528244.tif 000004
で決められる。ここで、ｃｉｎｉｔ、ｘ２（ｉ）は、常数であり、Ｎｃは、常数であり、正整数であり、たとえば１６００をとる。
【００６８】
ｃｉｎｉｔは、同期信号ブロックのインデックス（ＳＳ  ｂｌｏｃｋ  ｉｎｄｅｘ）とセルＩＤ（ＮＲ  ｃｅｌｌ  ＩＤ）に相関し、たとえば、ｃｉｎｉｔ＝１００８×ＳＳ  ｂｌｏｃｋ  ｉｎｄｅｘ＋ＮＲ  ｃｅｌｌ  ＩＤ、または、ｃｉｎｉｔ＝ＳＳ  ｂｌｏｃｋ  ｉｎｄｅｘ＋８×ＮＲ  ｃｅｌｌ  ＩＤ、または、ｃｉｎｉｔ＝１０２４×ＳＳ  ｂｌｏｃｋ  ｉｎｄｅｘ＋ＮＲ  ｃｅｌｌ  ＩＤ。
【００６９】
ステップ４０２において、生成されたＧｏｌｄシーケンスｃ（ｎ）を変調する。
【００７０】
本開示の実施例において、変調方式は、ＱＰＳＫ変調であり、ｄ（ｎ）を得る（ｎ＝０，１，…，１４３）。
【００７１】
ステップ４０３において、変調後のシンボルをＲＥ群にマッピングし、変調後のシンボルをＲＥ群によって伝送する。
【００７２】
各ＰＢＣＨシンボルの一つ目のサブキャリアが搬送波０であり、ｍ個目のサブキャリア（ｍ＝０，１，２，３）から開始し、変調後のＰＢＣＨ  ＤＭＲＳシーケンスをｍ＋４ｋ（ｋ＝０，１，…，７１）サブキャリアに順にマッピングする。ｍは、セルＩＤおよび／または同期信号ブロックのインデックスに基づいて決められる。たとえば、ｍ＝ｍｏｄ（ＳＳ  ｂｌｏｃｋ  ｉｎｄｅｘ，４）またはｍ＝ｍｏｄ（ＳＳ  ｂｌｏｃｋ  ｉｎｄｅｘ＋ｍｏｄ（Ｎ＿ＣｅｌｌＩＤ，４），４）。
【００７３】
一つ目のＰＢＣＨシンボルについて、ｍ＋４ｎ個目のサブキャリアでｄ（ｎ）を伝送し、すなわち、ａ（１，ｍ＋４ｎ）＝ｄ（ｎ）（ｎ＝０，１，…，７１）。２つ目のＰＢＣＨシンボルについて、ｍ＋４ｎ個目のサブキャリアでｄ（ｎ＋７２）を伝送し、すなわち、ａ（２，ｍ＋４ｎ）＝ｄ（ｎ＋７２）（ｎ＝０，１，…，７１）。
【００７４】
以上の記載によると、本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００７５】
図５に示すように、本開示の実施例の信号処理装置は、ＰＢＣＨ  ＤＭＲＳシーケンス候補を生成するための生成モジュール６０１と、ＰＢＣＨ  ＤＭＲＳシーケンスとＲＥ群とのマッピング関係を取得するための取得モジュール６０２と、前記マッピング関係に基づいて、前記ＰＢＣＨ  ＤＭＲＳシーケンス候補に対応するＲＥ群によって前記ＰＢＣＨ  ＤＭＲＳシーケンス候補を伝送するための伝送モジュール６０３とを含む。
【００７６】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００７７】
図６に示すように、前記伝送モジュール６０３は、前記ＰＢＣＨ  ＤＭＲＳシーケンス候補を変調するための変調サブモジュール６０３１と、前記マッピング関係に基づいて、変調後のＰＢＣＨ  ＤＭＲＳシーケンス候補をＲＥ群にマッピングするためのマッピングサブモジュール６０３２と、前記変調後のＰＢＣＨ  ＤＭＲＳシーケンス候補を前記ＲＥ群によって伝送するための伝送サブモジュール６０３３とを含む。
【００７８】
本開示の実施例において、同一の同期信号ブロックの２つのＯＦＤＭシンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【００７９】
ここで、前記ＰＢＣＨ  ＤＭＲＳシーケンス候補の生成多項式の初期値は、セルＩＤおよび／または同期信号ブロックのインデックスによって決められる。
【００８０】
前記装置の動作原理は、上記の方法実施例の記載を参照されたい。
【００８１】
以上の記載によると、本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００８２】
図７に示すように、本開示の実施例の信号処理装置は、ＰＢＣＨ  ＤＭＲＳシーケンス候補を受信するための受信モジュール８０１と、ＰＢＣＨ  ＤＭＲＳシーケンスとＲＥ群とのマッピング関係に基づいて、前記ＰＢＣＨ  ＤＭＲＳシーケンス候補に対応するＲＥ群を特定するための第１特定モジュール８０２と、前記ＲＥ群内で、前記ＲＥ群に対応するＰＢＣＨ  ＤＭＲＳシーケンス候補を検出するための検出モジュール８０３と、検出したＰＢＣＨ  ＤＭＲＳシーケンス候補に基づいて、同期信号ブロックのインデックスを特定するための第２特定モジュール８０４とを含む。
【００８３】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００８４】
図８に示すように、前記検出モジュール８０３は、前記ＰＢＣＨ  ＤＭＲＳシーケンス候補のグループ分けを行って、前記ＲＥ群と同数のＰＢＣＨ  ＤＭＲＳシーケンス候補群を取得するためのグループ分けサブモジュール８０３１と、ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得するための検出サブモジュール８０３２と、すべてのＲＥ群の複数の相関値から最大相関値を取得するための取得サブモジュール８０３３と、前記最大相関値に対応するＰＢＣＨ  ＤＭＲＳシーケンス候補を、検出したＰＢＣＨ  ＤＭＲＳシーケンス候補とするための特定サブモジュール８０３４とを含む。
【００８５】
前記装置の動作原理は、上記の方法実施例の記載を参照されたい。
【００８６】
以上の記載によると、本開示の実施例の手段を利用し、隣接セルの合理的計画によって、同一指向性のビームがなるべく異なる同期信号ブロック（時間）のインデックスに対応付けられ、セル間のＰＢＣＨ  ＤＭＲＳシンボルの衝突が避けられる。
【００８７】
図９に示すように、本開示の実施例のネットワーク側機器は、たとえば基地局であり、プロセッサ１０００と、トランシーバ１０１０を含む。プロセッサ１０００は、メモリ１０２０からプログラムを読み取ることによって、ＰＢＣＨ  ＤＭＲＳシーケンス候補を生成するプロセスと、ＰＢＣＨ  ＤＭＲＳシーケンスとＲＥ群とのマッピング関係を取得するプロセスと、前記マッピング関係に基づいて、前記ＰＢＣＨ  ＤＭＲＳシーケンス候補に対応するＲＥ群によって前記ＰＢＣＨ  ＤＭＲＳシーケンス候補を伝送するプロセスとを実行することに用いられる。トランシーバ１０１０は、プロセッサ１０００の制御によってデータを送受信することに用いられる。
【００８８】
ここで、図９において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体でほかの各種類の装置と通信するユニットとして提供される。プロセッサ１０００は、バスアーキテクチャと通常の処理を管理する。メモリ１０２０は、プロセッサ１０００による操作実行に使用されるデータを記憶できる。
【００８９】
プロセッサ１０００は、バスアーキテクチャと通常の処理を管理する。メモリ１０２０は、プロセッサ１０００による操作実行に使用されるデータを記憶できる。
【００９０】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００９１】
プロセッサ１０００は、さらに、前記コンピュータプログラムを読み取ることによって、前記ＰＢＣＨ  ＤＭＲＳシーケンス候補を変調するステップと、前記マッピング関係に基づいて、変調後のＰＢＣＨ  ＤＭＲＳシーケンス候補をＲＥ群にマッピングするステップと、前記変調後のＰＢＣＨ  ＤＭＲＳシーケンス候補を前記ＲＥ群によって伝送するステップとを実行することに用いられる。
【００９２】
ここで、同一の同期信号ブロックの２つのＯＦＤＭシンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【００９３】
ここで、前記ＰＢＣＨ  ＤＭＲＳシーケンス候補の生成多項式の初期値は、セルＩＤおよび／または同期信号ブロックのインデックスによって決められる。
【００９４】
図１０に示すように、本開示の実施例の端末は、プロセッサ１１００と、トランシーバ１１１０を含む。プロセッサ１１００は、メモリ１１２０からプログラムを読み取ることによって、ＰＢＣＨ  ＤＭＲＳシーケンス候補をトランシーバ１１１０によって受信するプロセスと、ＰＢＣＨ  ＤＭＲＳシーケンスとＲＥ群とのマッピング関係に基づいて、前記ＰＢＣＨ  ＤＭＲＳシーケンス候補に対応するＲＥ群を特定するプロセスと、前記ＲＥ群内で、前記ＲＥ群に対応するＰＢＣＨ  ＤＭＲＳシーケンス候補を検出するプロセスと、検出したＰＢＣＨ  ＤＭＲＳシーケンス候補に基づいて、同期信号ブロックのインデックスを特定するプロセスとを実行することに用いられる。トランシーバ１１１０は、プロセッサ１１００の制御によってデータを送受信することに用いられる。
【００９５】
ここで、図１０において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。ユーザ端末によっては、ユーザインタフェース１１３０は、内部接続や外部接続する機器のインタフェースであってもよい。接続する機器は、キーパッド、ディスプレイ、スピーカ、マイクロフォン、ジョイスティックなどを含むが、それらに限られない。
【００９６】
プロセッサ１１００は、バスアーキテクチャと通常の処理を管理する。メモリ１１２０は、プロセッサ１１００による操作実行に使用されるデータを記憶できる。
【００９７】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【００９８】
プロセッサ１１００は、さらに、前記コンピュータプログラムを読み取ることによって、前記ＰＢＣＨ  ＤＭＲＳシーケンス候補のグループ分けを行って、前記ＲＥ群と同数のＰＢＣＨ  ＤＭＲＳシーケンス候補群を取得するステップと、ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得するステップと、すべてのＲＥ群の複数の相関値から最大相関値を取得するステップと、前記最大相関値に対応するＰＢＣＨ  ＤＭＲＳシーケンス候補を、検出したＰＢＣＨ  ＤＭＲＳシーケンス候補とするステップとを実行することに用いられる。
【００９９】
また、本開示のコンピュータ読み取り可能な記憶媒体は、コンピュータプログラムを記憶することに用いられる。前記コンピュータプログラムがプロセッサによって実行されると、ＰＢＣＨ  ＤＭＲＳシーケンス候補を生成するステップと、ＰＢＣＨ  ＤＭＲＳシーケンスとＲＥ群とのマッピング関係を取得するステップと、前記マッピング関係に基づいて、前記ＰＢＣＨ  ＤＭＲＳシーケンス候補に対応するＲＥ群によって前記ＰＢＣＨ  ＤＭＲＳシーケンス候補を伝送するプロセスとを実行するステップが実現される。
【０１００】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【０１０１】
ここで、前記マッピング関係に基づいて、前記ＰＢＣＨ  ＤＭＲＳシーケンス候補に対応するＲＥ群によって前記ＰＢＣＨ  ＤＭＲＳシーケンス候補を伝送することは、前記ＰＢＣＨ  ＤＭＲＳシーケンス候補を変調することと、前記マッピング関係に基づいて、変調後のＰＢＣＨ  ＤＭＲＳシーケンス候補をＲＥ群にマッピングすることと、前記変調後のＰＢＣＨ  ＤＭＲＳシーケンス候補を前記ＲＥ群によって伝送することとを含む。
【０１０２】
ここで、同一の同期信号ブロックの２つのＯＦＤＭシンボルでは、同じＰＢＣＨ  ＤＭＲＳシーケンス候補が搬送され、または、同一の同期信号ブロックの２つのＯＦＤＭシンボルでは、異なるＰＢＣＨ  ＤＭＲＳシーケンス候補が搬送され、または、同一の同期信号ブロックの２つのＯＦＤＭシンボルの両方によって同一のＰＢＣＨ  ＤＭＲＳシーケンス候補が搬送される。
【０１０３】
ここで、前記ＰＢＣＨ  ＤＭＲＳシーケンス候補の生成多項式の初期値は、セルＩＤおよび／または同期信号ブロックのインデックスによって決められる。
【０１０４】
また、本開示のコンピュータ読み取り可能な記憶媒体は、コンピュータプログラムを記憶することに用いられる。前記コンピュータプログラムがプロセッサによって実行されると、ＰＢＣＨ  ＤＭＲＳシーケンス候補を受信するステップと、ＰＢＣＨ  ＤＭＲＳシーケンスとＲＥ群とのマッピング関係に基づいて、前記ＰＢＣＨ  ＤＭＲＳシーケンス候補に対応するＲＥ群を特定するステップと、前記ＲＥ群内で、前記ＲＥ群に対応するＰＢＣＨ  ＤＭＲＳシーケンス候補を検出するステップと、検出したＰＢＣＨ  ＤＭＲＳシーケンス候補に基づいて、同期信号ブロックのインデックスを特定するステップとが実現される。
【０１０５】
ここで、前記マッピング関係は、異なるセルのＰＢＣＨ  ＤＭＲＳシーケンス候補と、異なるＲＥ群とのマッピング関係、または、同一セル内で、異なるＰＢＣＨ  ＤＭＲＳシーケンス候補と、異なるＲＥ群とのマッピング関係、または、異なるセル群のＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む。
【０１０６】
ここで、前記ＲＥ群内で、前記ＲＥ群に対応するＰＢＣＨ  ＤＭＲＳシーケンス候補を検出することは、前記ＰＢＣＨ  ＤＭＲＳシーケンス候補のグループ分けを行って、前記ＲＥ群と同数のＰＢＣＨ  ＤＭＲＳシーケンス候補群を取得することと、ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得することと、すべてのＲＥ群の複数の相関値から最大相関値を取得することと、前記最大相関値に対応するＰＢＣＨ  ＤＭＲＳシーケンス候補を、検出したＰＢＣＨ  ＤＭＲＳシーケンス候補とすることとを含む。
【０１０７】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１０８】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１０９】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１１０】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2020528244.tif 000005
【図２】
2020528244.tif 000006
【図３】
2020528244.tif 000007
【図４】
2020528244.tif 000008
【図５】
2020528244.tif 000009
【図６】
2020528244.tif 000010
【図７】
2020528244.tif 000011
【図８】
2020528244.tif 000012
【図９】
2020528244.tif 000013
【図１０】
2020528244.tif 000014
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
ネットワーク側機器に応用される信号処理方法において、
ＰＢＣＨ（Ｐｈｙｓｉｃａｌ  Ｂｒｏａｄｃａｓｔ  Ｃｈａｎｎｅｌ）  ＤＭＲＳ（ＤｅＭｏｄｕｌａｔｉｏｎ  Ｒｅｆｅｒｅｎｃｅ  Ｓｉｇｎａｌ）シーケンス候補を生成することと、
ＰＢＣＨ  ＤＭＲＳシーケンスとＲＥ（Ｒｅｓｏｕｒｃｅ  Ｅｌｅｍｅｎｔ）群とのマッピング関係を取得することと、
前記マッピング関係に基づいて、前記ＰＢＣＨ  ＤＭＲＳシーケンス候補に対応するＲＥ群によって前記ＰＢＣＨ  ＤＭＲＳシーケンス候補を伝送することとを含む、信号処理方法。
【請求項２】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセルのＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項１に記載の方法。
【請求項３】
前記マッピング関係に基づいて、前記ＰＢＣＨ  ＤＭＲＳシーケンス候補に対応するＲＥ群によって前記ＰＢＣＨ  ＤＭＲＳシーケンス候補を伝送することは、
前記ＰＢＣＨ  ＤＭＲＳシーケンス候補を変調することと、
前記マッピング関係に基づいて、変調後のＰＢＣＨ  ＤＭＲＳシーケンス候補をＲＥ群にマッピングすることと、
前記変調後のＰＢＣＨ  ＤＭＲＳシーケンス候補を前記ＲＥ群によって伝送することとを含む、請求項１に記載の方法。
【請求項４】
前記ＰＢＣＨ  ＤＭＲＳシーケンス候補の生成多項式の初期値は、
セルＩＤおよび／または同期信号ブロックのインデックスによって決められる、請求項１〜３のいずれか一項に記載の方法。
【請求項５】
端末に応用される信号処理方法において、
ＰＢＣＨ  ＤＭＲＳシーケンス候補を受信することと、
ＰＢＣＨ  ＤＭＲＳシーケンスとＲＥ群とのマッピング関係に基づいて、前記ＰＢＣＨ  ＤＭＲＳシーケンス候補に対応するＲＥ群を特定することと、
前記ＲＥ群内で、前記ＲＥ群に対応するＰＢＣＨ  ＤＭＲＳシーケンス候補を検出することと、
検出したＰＢＣＨ  ＤＭＲＳシーケンス候補に基づいて、同期信号ブロックのインデックスを特定することとを含む、信号処理方法。
【請求項６】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセルのＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項５に記載の方法。
【請求項７】
前記ＲＥ群内で、前記ＲＥ群に対応するＰＢＣＨ  ＤＭＲＳシーケンス候補を検出することは、
前記ＰＢＣＨ  ＤＭＲＳシーケンス候補のグループ分けを行って、前記ＲＥ群と同数のＰＢＣＨ  ＤＭＲＳシーケンス候補群を取得することと、
ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得することと、
すべてのＲＥ群の複数の相関値から最大相関値を取得することと、
前記最大相関値に対応するＰＢＣＨ  ＤＭＲＳシーケンス候補を、検出したＰＢＣＨ  ＤＭＲＳシーケンス候補とすることとを含む、請求項５に記載の方法。
【請求項８】
ＰＢＣＨ  ＤＭＲＳシーケンス候補を生成するための生成モジュールと、
ＰＢＣＨ  ＤＭＲＳシーケンスとＲＥ群とのマッピング関係を取得するための取得モジュールと、
前記マッピング関係に基づいて、前記ＰＢＣＨ  ＤＭＲＳシーケンス候補に対応するＲＥ群によって前記ＰＢＣＨ  ＤＭＲＳシーケンス候補を伝送するための伝送モジュールとを含む、信号処理装置。
【請求項９】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセルのＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項８に記載の装置。
【請求項１０】
前記伝送モジュールは、
前記ＰＢＣＨ  ＤＭＲＳシーケンス候補を変調するための変調サブモジュールと、
前記マッピング関係に基づいて、変調後のＰＢＣＨ  ＤＭＲＳシーケンス候補をＲＥ群にマッピングするためのマッピングサブモジュールと、
前記変調後のＰＢＣＨ  ＤＭＲＳシーケンス候補を前記ＲＥ群によって伝送するための伝送サブモジュールとを含む、請求項８に記載の装置。
【請求項１１】
前記ＰＢＣＨ  ＤＭＲＳシーケンス候補の生成多項式の初期値は、
セルＩＤおよび／または同期信号ブロックのインデックスによって決められる、請求項８〜１０のいずれか一項に記載の装置。
【請求項１２】
ＰＢＣＨ  ＤＭＲＳシーケンス候補を受信するための受信モジュールと、
ＰＢＣＨ  ＤＭＲＳシーケンスとＲＥ群とのマッピング関係に基づいて、前記ＰＢＣＨ  ＤＭＲＳシーケンス候補に対応するＲＥ群を特定するための第１特定モジュールと、
前記ＲＥ群内で、前記ＲＥ群に対応するＰＢＣＨ  ＤＭＲＳシーケンス候補を検出するための検出モジュールと、
検出したＰＢＣＨ  ＤＭＲＳシーケンス候補に基づいて、同期信号ブロックのインデックスを特定するための第２特定モジュールとを含む、信号処理装置。
【請求項１３】
前記マッピング関係は、
異なるセルのＰＢＣＨ  ＤＭＲＳシーケンス候補と、異なるＲＥ群とのマッピング関係、または、
同一セル内で、異なるＰＢＣＨ  ＤＭＲＳシーケンス候補と、異なるＲＥ群とのマッピング関係、または、
異なるセルのＰＢＣＨ  ＤＭＲＳシーケンス候補と、異なるＲＥ群とのマッピング関係、および、同一セル内で、異なるＰＢＣＨ  ＤＭＲＳシーケンス候補と、異なるＲＥ群とのマッピング関係を含む、請求項１２に記載の装置。
【請求項１４】
前記検出モジュールは、
前記ＰＢＣＨ  ＤＭＲＳシーケンス候補のグループ分けを行って、前記ＲＥ群と同数のＰＢＣＨ  ＤＭＲＳシーケンス候補群を取得するためのグループ分けサブモジュールと、
ＲＥ群毎に、所定のＰＢＣＨ  ＤＭＲＳシーケンスと前記ＲＥ群に対応するＰＢＣＨ  ＤＭＲＳシーケンス候補群のうちのＰＢＣＨ  ＤＭＲＳシーケンス候補を利用して相関検出を行って、各ＲＥ群に対応する相関値を取得するための検出サブモジュールと、
すべてのＲＥ群の複数の相関値から最大相関値を取得するための取得サブモジュールと、
前記最大相関値に対応するＰＢＣＨ  ＤＭＲＳシーケンス候補を、検出したＰＢＣＨ  ＤＭＲＳシーケンス候補とするための特定サブモジュールとを含む、請求項１２に記載の装置。
【請求項１５】
コンピュータプログラムを記憶するためのコンピュータ読み取り可能な記憶媒体であって、
前記コンピュータプログラムがプロセッサによって実行されると、請求項１〜４のいずれか一項に記載の方法のステップまたは請求項５〜７のいずれか一項に記載の方法のステップが実現される、コンピュータ読み取り可能な記憶媒体。
【国際調査報告】
2020528244.tif 000015
2020528244.tif 000016
2020528244.tif 000017
2020528244.tif 000018